(57)【特許請求の範囲】
【請求項１】
左右一対の縦枠板（４）と上下一対の横枠板（５）とで略矩形状に形成された外枠（２）と、該外枠（２）の前側に左右一端側のヒンジ（１１）により開閉可能に枢着された前開閉体（３）と、前側に遊技領域（３３）を備え且つ前記前開閉体（３）に装着される遊技盤（２１）と、前記外枠（２）側に設けられた被係合部材（７２）と、前記前開閉体（３）側に設けられ且つ前記前開閉体（３）が閉状態のときに前記被係合部材（７２）に係脱可能に係合する係合部材（７３）を有する施錠作動機構（７４）とを備え、該前開閉体（３）は、その最も外周側に設けられ且つ閉状態時に前記外枠（２）の前端面（２ａ）に当接する閉鎖当接部（４１）と、該閉鎖当接部（４１）よりも内側に配置され且つ前記遊技盤（２１）を着脱自在に保持する遊技盤装着枠（２２）と、該遊技盤装着枠（２２）と前記閉鎖当接部（４１）とを連結する連結部（４２）とを備えると共に前記係合部材（７３）を前記遊技盤（２１）の側方に配置した遊技機において、前記遊技盤装着枠（２２）は、前記遊技盤（２１）の外周面（２１ａ）に沿ってこの外周面（２１ａ）を保持する外周保持部（４４）を備え、前記連結部（４２）は、前記外周保持部（４４）の後端側と前記閉鎖当接部（４１）の内縁側とを連結するように形成され、少なくとも前記係合部材（７３）に対応する部分では前記連結部（４２）と前記閉鎖当接部（４１）とを前記遊技盤（２１）に略平行な同一平面上に配置し、前記係合部材（７３）が係合する被係合部（７２ｂ）が前記外枠（２）の前端面（２ａ）側に位置するように前記被係合部材（７２）が配置され、前記施錠作動機構（７４）が前記閉鎖当接部（４１）の前側に配置され、前記係合部材（７３）と前記被係合部材（７２）とが前記閉鎖当接部（４１）に形成された貫通孔（９３）を介して互いに係合するように構成されており、前記被係合部材（７２）は、互いに平行な一対の固定板部（１１１）と、それら固定板部（１１１）の一端側を連結する連結板部（１１２）とで断面略コの字型に形成されると共に前記連結板部（１１２）に前記被係合部（７２ｂ）が設けられ、前記一対の固定板部（１１１）で前記外枠（２）を板厚方向に挟み込むように前記外枠（２）の前縁側に装着され固定されていることを特徴とする遊技機。
【発明の詳細な説明】
【技術分野】
【０００１】
本発明は、パチンコ機、アレンジボール機、スロットマシン等の遊技機に関するものである。
【背景技術】
【０００２】
遊技機、例えばパチンコ機等の弾球遊技機では、左右一対の縦枠板と上下一対の横枠板とで略矩形状に形成された外枠と、この外枠の前側に左右一端側のヒンジにより開閉可能に枢着された前開閉体とで遊技機本体が構成されている。遊技機本体を遊技ホールに設置する際には、遊技機本体の外枠を遊技島側の装着枠に嵌め込み、外枠の内側から装着枠に対して釘等を打ち込んで固定するようになっている。
【０００３】
パチンコ機等では、前開閉体に一体に設けられた遊技盤装着枠に装着される遊技盤をはじめ、その遊技盤側に遊技球を発射する発射手段、賞球の払い出し手段、各種の遊技制御を行う制御基板等、遊技機の主要構成部分のほとんどが前開閉体側に設けられ、特に制御基板等、遊技の進行や利益の還元に関する構成部分は前開閉体の裏側に装着されており、前開閉体を閉じた状態では遊技機本体の前側からアクセスできないようになっている。
【０００４】
また、パチンコ機等には、一般の遊技者が前開閉体を開放できないように、前開閉体を閉状態で施錠する施錠手段が設けられている。この施錠手段は、外枠側に設けられた被係合部材と、前開閉体側に設けられ且つ前開閉体が閉状態のときに被係合部材に係合する係合部材を有する施錠作動機構とを備えており、前開閉体の前側から施錠作動機構に対して鍵操作を行うことにより、係合部材の被係合部材への係合を解除して前開閉体を開放することが可能となっている。
【０００５】
従来のパチンコ機では、遊技盤は、前開閉体の閉状態における外枠の前端面よりも後方の位置で遊技盤装着枠により保持されると共に、その遊技盤装着枠と外枠との間に、施錠作動機構を構成する係合部材が配置されていた（特許文献１参照）。
【特許文献１】特開２００３−３２０１４１号公報
【発明の開示】
【発明が解決しようとする課題】
【０００６】
パチンコ機等の遊技機においては、演出画像等を表示するための液晶表示装置の画面が大型化する傾向にあるため、それに伴って遊技領域をより広く確保する必要性が高まっている。
【０００７】
しかしながら、従来のパチンコ機は、上述したような構成となっているため、外枠の内面側と遊技盤の側端面との間に、施錠作動機構を構成する係合部材と、遊技盤装着枠のうち、遊技盤の外周面に沿ってこの外周面を保持する外周保持部とを配置する必要があることから、遊技盤の大型化による遊技領域の拡大にも自ずと限界があった。
【０００８】
本発明は、このような従来の問題点に鑑み、遊技盤を従来よりも大型化してより広い遊技領域を確保することが可能な遊技機を提供することを目的とする。
【課題を解決するための手段】
【０００９】
本発明は、左右一対の縦枠板４と上下一対の横枠板５とで略矩形状に形成された外枠２と、該外枠２の前側に左右一端側のヒンジ１１により開閉可能に枢着された前開閉体３と、前側に遊技領域３３を備え且つ前記前開閉体３に装着される遊技盤２１と、前記外枠２側に設けられた被係合部材７２と、前記前開閉体３側に設けられ且つ前記前開閉体３が閉状態のときに前記被係合部材７２に係脱可能に係合する係合部材７３を有する施錠作動機構７４とを備え、該前開閉体３は、その最も外周側に設けられ且つ閉状態時に前記外枠２の前端面２ａに当接する閉鎖当接部４１と、該閉鎖当接部４１よりも内側に配置され且つ前記遊技盤２１を着脱自在に保持する遊技盤装着枠２２と、該遊技盤装着枠２２と前記閉鎖当接部４１とを連結する連結部４２とを備えると共に前記係合部材７３を前記遊技盤２１の側方に配置した遊技機において、前記遊技盤装着枠２２は、前記遊技盤２１の外周面２１ａに沿ってこの外周面２１ａを保持する外周保持部４４を備え、前記連結部４２は、前記外周保持部４４の後端側と前記閉鎖当接部４１の内縁側とを連結するように形成され、少なくとも前記係合部材７３に対応する部分では前記連結部４２と前記閉鎖当接部４１とを前記遊技盤２１に略平行な同一平面上に配置し、前記係合部材７３が係合する被係合部７２ｂが前記外枠２の前端面２ａ側に位置するように前記被係合部材７２が配置され、前記施錠作動機構７４が前記閉鎖当接部４１の前側に配置され、前記係合部材７３と前記被係合部材７２とが前記閉鎖当接部４１に形成された貫通孔９３を介して互いに係合するように構成されており、前記被係合部材７２は、互いに平行な一対の固定板部１１１と、それら固定板部１１１の一端側を連結する連結板部１１２とで断面略コの字型に形成されると共に前記連結板部１１２に前記被係合部７２ｂが設けられ、前記一対の固定板部１１１で前記外枠２を板厚方向に挟み込むように前記外枠２の前縁側に装着され固定されているものである。
【発明の効果】
【００１０】
本発明によれば、例えば被係合部材７２を外枠２の内側面側に設けた場合でも、外周保持部４４と外枠２の内側面との間には係合部材７３等を配置できる間隔さえあればよい。従って、従来に比べて外周保持部４４を外寄りに配置することが可能であり、遊技盤２１を大型化してより広い遊技領域３３を確保することが可能である。
【発明を実施するための最良の形態】
【００１１】
以下、本発明の実施の形態を図面に基づいて詳述する。図１〜図１３は本発明をパチンコ機として具現化した第１の実施形態を例示している。図１〜図５において、１は遊技機本体で、矩形状の外枠２と、この外枠２の前側を覆う前枠（前開閉体）３とを備えている。
【００１２】
外枠２は、図２，図４等に示すように、木材等よりなる左右一対の縦枠板４，４と、同じく木材等よりなる上下一対の横枠板５，５とで略矩形状に形成され、更にその下端部前側には、下側の横枠板５の上縁側に沿って縦枠板４，４を左右に連結する合成樹脂等よりなる下部前面板６が設けられている。なお、外枠２はその一部又は全部を合成樹脂、金属等により形成してもよい。
【００１３】
前枠３は、例えば合成樹脂製で、図３，図４等に示すように、外枠２側の縦枠板４，４に沿って配置される左右一対の縦枠部７ａ，７ｂと、外枠２の上側の横枠板５に沿って配置される横枠部８と、外枠２の下部前面板６の上側に沿って縦枠部７ａ，７ｂの下部側を左右に連結する下部支承部９とを例えば一体に備え、それら縦枠部７ａ，７ｂ、横枠部８、及び下部支承部９で取り囲まれて略矩形状の窓孔１０が形成されており、左右方向の一端側、例えば向かって左側の端部に設けられた上下一対のヒンジ１１によって、外枠２の前側に着脱及び開閉自在に枢着されている。
【００１４】
前枠３の前側には、窓孔１０に対応するガラス扉１２と、下部支承部９に対応する前面開閉板１３とが上下に配置され、左右方向一端側、例えばヒンジ１１と同じ側のヒンジ１４により前枠３に開閉自在に枢着されている。前面開閉板１３の前側には発射用の遊技球を貯留するための上皿１５が装着され、上皿カバー１６により覆われている。また、前枠３の前側で且つ前面開閉板１３の下側には余剰球等を貯留する下皿１７が配置され、下皿カバー１８により覆われている。
【００１５】
２１は遊技盤で、前枠３の窓孔１０に対応するように、前枠３の裏側の遊技盤装着枠２２に後側から着脱自在に装着され、下部支承部９の上側に設けられた遊技盤支持部２３により下側から支持されている。
【００１６】
２４は発射手段で、下部支承部９に装着された発射レール２６，発射モータ２７、打撃槌２８等を備え、下皿１７の一側で前枠３の前側に突設された発射ハンドル２５を操作したときに、発射モータ２７により打撃槌２８が作動して、球送り手段２９により上皿１５側から発射レール２６上に１個ずつ供給される遊技球を遊技盤２１側に発射させるようになっている。
【００１７】
遊技盤２１の前側には、発射手段２４により発射された遊技球を案内するガイドレール３１，３２が、液晶表示手段、可変式入賞手段、大入賞手段、普通入賞手段、通過ゲート等の各種遊技部品（図示省略）が配置された遊技領域３３を取り囲むように配置されている。
【００１８】
遊技盤２１の裏側には、図２に示すように、その液晶表示手段等の遊技部品を裏側から覆う裏カバー３４が装着されている。裏カバー３４の裏側には、各種制御基板を収納する基板ケース３５等が着脱自在に装着されている。
【００１９】
遊技盤装着枠２２は、図３等に示すように、前枠３の縦枠部７ａ，７ｂ及び横枠部８に沿って門形状に配置され、前枠３の裏側に一体に形成されている。即ち、前枠３の縦枠部７ａ，７ｂ及び横枠部８は、図３，図６，図９〜図１２等に示すように、閉状態時に外枠２の前端面２ａに略当接する閉鎖当接部４１と、この閉鎖当接部４１よりも内側に配置される遊技盤装着枠２２と、遊技盤装着枠２２と閉鎖当接部４１とを連結する連結部４２と、閉鎖当接部４１の外縁側から前向きに延設された外周部４３とを一体に備えている。
【００２０】
遊技盤装着枠２２は、遊技盤２１の外周面２１ａに沿ってこの外周面２１ａを保持する外周保持部４４と、この外周保持部４４の前端側から遊技盤２１の前面２１ｂに沿って内向きに延設され且つこの前面２１ｂを保持する前面保持部４５とで断面略Ｌ字形に形成されている。
【００２１】
連結部４２は、外周保持部４４の後端側と閉鎖当接部４１の内縁側とを連結するように一体に形成されている。横枠部８側では、図９に示すように、閉鎖当接部４１は外周保持部４４の後端側よりも前側に配置されており、連結部４２は、閉鎖当接部４１の内縁側から後ろ向きに延設された横連結部４２ａと、外周保持部４４の後端側から上向きに延設された縦連結部４２ｂとで断面略Ｌ字型に形成されている。
【００２２】
一方、縦枠部７ａ，７ｂ側では、図１０〜図１２等に示すように、上下方向の所定範囲、例えば遊技盤装着枠２２と下部支承部９との略全体に対応する範囲において、閉鎖当接部４１が外周保持部４４の後端側と同じ位置に配置されており、連結部４２と閉鎖当接部４１とは遊技盤２１に略平行な同一平面を形成する１つの平板で構成されている。
【００２３】
このように、縦枠部７ａ，７ｂ側では、上下方向の所定範囲において閉鎖当接部４１が横枠部８側よりも後方に後退し、それに伴って外周部４３も横枠部８側よりも後方に突出して後方突出部４６が形成されており、外枠２側の縦枠板４，４には、前枠３の閉鎖時にこの後方突出部４６が前側から嵌合する嵌合凹部４７が形成されている（図４）。
【００２４】
また、遊技盤装着枠２２の前側には、前面保持部４５の内縁側からガラス扉１２の後側近傍まで前向きに延設された内周壁４８が一体に設けられている。この内周壁４８は、その一部がガイドレール３１，３２と共に遊技領域３３の外周側を規定している。
【００２５】
更に、遊技盤装着枠２２のうち縦枠部７ｂに対応する部分には、図１０〜図１２に示すように、外周保持部４４の前端側から前向きに延設された施錠取付部４９が一体に形成されている。
【００２６】
また、遊技盤装着枠２２の後側には、図２に示すように、遊技盤２１を裏側から押圧して固定するための裏機構板５１が左右方向一端側、例えばヒンジ１１と同じ側のヒンジ５２により開閉自在に枢着されており、遊技盤装着枠２２の後側に設けられた複数の締結具５３により閉状態で固定可能となっている。
【００２７】
裏機構板５１には、その中央部に裏カバー３４が嵌合する開口部５４が形成され、この開口部５４の上側に遊技球タンク５５とタンクレール５６が、左右一側に払い出し手段５７が、下側に通路ユニット５８、基板ケース５９等が夫々設けられており、遊技球が大入賞手段等に入賞したとき、或いは図外の自動球貸し機から球貸し指令があったときに、遊技球タンク５５内の遊技球をタンクレール５６を経て払い出し手段５７により払い出し、その遊技球を通路ユニット５８を経て上皿１５に案内するようになっている。
【００２８】
下部支承部９は、図３，図４等に示すように、遊技盤２１を下側から支持する遊技盤支持部２３、この遊技盤支持部２３から上向きに突設され且つ遊技盤２１の前面２１ｂに略当接する起立板部６１、払い出し手段５７から払い出された遊技球を上皿１５側に案内する案内通路６２等を一体に備えると共に、発射手段２４を構成する発射レール２６，発射モータ２７、打撃槌２８の他、球送り手段２９、発射手段２４を制御する発射制御基板を収納する基板ケース６３等が装着されている。
【００２９】
ガラス扉１２は、図５に示すように、扉枠６４と、この扉枠６４を前側から覆う例えば合成樹脂製の扉カバー６５と、扉枠６４の裏側に固定されたガラス保持レール６６と、このガラス保持レール６６により保持された例えば２枚のガラス板６７とを備えている。
【００３０】
扉枠６４は、例えば金属板を折り曲げ加工することにより形成されており、その略中央部分には遊技盤２１側の遊技領域３３に対応する開口部６８が設けられ、内外縁部には後方に向けて折り曲げリブ６４ａが設けられている。
【００３１】
ガラス保持レール６６は、ガラス板６７の左右両縁部を保持する左右一対の縦レール６６ａ，６６ｂと、この縦レール６６ａ，６６ｂの下端部間に配置され且つガラス板６７の下縁部を保持する横レール６６ｃとで構成されている。縦レール６６ａ，６６ｂ及び横レール６６ｃは、例えば金属板の折り曲げ加工により、ガラス板６７に対応する前後一対の嵌合溝６９が設けられており、前縁側の固定部７０において扉枠６４の背面側に固定されている。
【００３２】
また、遊技機本体１には、前枠３を閉状態で施錠する施錠手段７１が設けられている。施錠手段７１は、図７等に示すように、外枠２側に設けられた外枠側被係合部材（被係合部材）７２と、前枠３側に設けられ且つ前枠３が閉状態のときに外枠側被係合部材７２に係脱可能に係合する外枠側係合部材（係合部材）７３を有する施錠作動機構７４とで構成されている。
【００３３】
施錠作動機構７４は、前枠３側の施錠及びその解除を行う前枠施錠機構７５と、ガラス扉１２側の施錠及びその解除を行うガラス扉施錠機構７６と、外部からの鍵操作により前枠施錠機構７５及びガラス扉施錠機構７６の施錠解除操作を行う施錠操作機構７７と、それら前枠施錠機構７５、ガラス扉施錠機構７６、及び施錠操作機構７７を前枠３側に支持する支持部材７８とを備えている。
【００３４】
支持部材７８は、縦長状に形成された金属板により形成されており、前枠３の外周保持部４４及び施錠取付部４９の外面側（遊技盤２１とは反対側）に沿って上下に配置され、施錠取付部４９にネジ等の固定手段により着脱自在に固定されている。
【００３５】
前枠施錠機構７５は、支持部材７８に左右方向の回転軸７３ａにより軸着され且つ外枠２側の外枠側被係合部材７２に夫々前側から係脱可能な複数、例えば上下一対の外枠側係合部材７３と、支持部材７８により上下方向摺動自在に支持され且つ外枠側係合部材７３を上下に連動連結する縦長状の連動板９１と、この連動板９１を施錠方向、例えば下向きに付勢するバネ部材９２とを備え、前枠３を閉じた時に、外枠側係合部材７３が外枠側被係合部材７２に係合して前枠３を施錠するようになっている。
【００３６】
なお、外枠側被係合部材７２は、複数の外枠側係合部材７３に対応するように外枠２側に複数、例えば上下に２つ設けられている。各外枠側被係合部材７２は、図１３等に示すように、例えば金属板を折り曲げることにより、外枠２の縦枠板４の内側面４ａに沿って配置される固定部７２ａと、この固定部７２ａの前縁側から内向き略直角方向に設けられた被係合部７２ｂと、この被係合部７２ｂの先端側から後ろ向きに設けられた折り曲げリブ７２ｃとを備えた平面視略Ｊ字形に形成されており、固定部７２ａにおいてネジ止め等により外枠２側に固定されている。
【００３７】
外枠側係合部材７３は、外枠側被係合部材７２の被係合部７２ｂに対して例えば下側から係合可能な係合爪７３ｂを後端側上部に備え、前枠３の連結部４２に設けられた貫通孔９３を介してその係合爪７３ｂを後側に突出させた状態で、係合爪７３ｂよりも前側の位置で回転軸７３ａにより支持部材７８に支持され、更に回転軸７３ａよりも前端側のピン結合部７３ｃにおいて連動板９１とピン結合されている。従って、後述する鍵操作により連動板９１をバネ部材９２の付勢力に抗して上向きに移動させ、外枠側係合部材７３をその後端側が上昇する方向に回動させれば、係合爪７３ｂの外枠側被係合部材７２への係合が解除される。
【００３８】
なお、支持部材７８には、外枠側係合部材７３が外枠側被係合部材７２に係合した状態で連動板９１の下向き移動を規制する規制部７８ａが、例えば連動板９１の下端部に対応して外向きの突起状に設けられている。
【００３９】
また、支持部材７８の下端部後側には、左右方向の軸廻りに回動自在の車輪７８ｂが設けられている。車輪７８ｂは、前枠３を閉じる際、例えば下側の外枠側被係合部材７２に一体に設けられた案内レール９４上に乗り上げることにより、自重により垂れ下がった前枠３の開閉端側を押し上げると共に、前枠３を閉じた状態では、施錠作動機構７４側の垂れ下がりを防止して外枠側係合部材７３が外枠側被係合部材７２に完全に係合した状態を維持するようになっている。
【００４０】
ガラス扉施錠機構７６は、ガラス扉１２側のガラス扉側被係合部材９５に例えば下側から係合可能な１又は複数、例えば上下一対の係合爪９６を一体に備え且つ支持部材７８により上下方向摺動自在に支持されたガラス扉側係合部材９７と、このガラス扉側係合部材９７を施錠方向、例えば上向きに付勢するバネ部材９２とを備え、ガラス扉１２を閉じた時に、ガラス扉側係合部材９７の係合爪９６がガラス扉側被係合部材９５の被係合部９５ａに係合してガラス扉１２を施錠するようになっている。従って、後述する鍵操作によりガラス扉側係合部材９７をバネ部材９２の付勢力に抗して下向きに移動させれば、係合爪９６のガラス扉側被係合部材９５への係合が解除される。
【００４１】
なお、ガラス扉側被係合部材９５は、図５に示すように、ガラス扉側係合部材９７の係合爪９６に対応するようにガラス扉１２側に１又は複数、例えば上下に２つ設けられており、被係合部９５ａと、この被係合部９５ａを例えば縦レール６６ｂの嵌合溝６９の背面側に固定する固定部９５ｂとを一体に備えている。
【００４２】
前枠施錠機構７５側の連動板９１とガラス扉施錠機構７６側のガラス扉側係合部材９７とは、支持部材７８の一側、例えば遊技盤装着枠２２と反対側に、ガラス扉側係合部材９７，連動板９１の順で重ねて取り付けられている。また、図８等に示すように、前枠施錠機構７５の連動板９１には第１係合孔９８が、ガラス扉施錠機構７６のガラス扉側係合部材９７には第２係合孔９９が、施錠操作機構７７に対応する所定位置に設けられている。
【００４３】
施錠操作機構７７は、錠本体１０１と、この錠本体１０１の後端側に設けられ且つ錠本体１０１の鍵操作に応じて前後方向の軸廻りに回動可能な回動操作部材１０２とを備え、錠本体１０１の前端部を前枠３の前側に突出させ、且つ回動操作部材１０２を前枠３の外周部４３と施錠取付部４９との間に配置した状態で、例えば支持部材７８に一体に設けられた取付部１０３を介して前枠３側に着脱自在に固定されている。
【００４４】
なお、取付部１０３は、支持部材７８の前縁側の一部から外向き直角方向に突設されている。また、前枠３の前側には施錠部カバー１０４が例えば着脱自在に装着されており、錠本体１０１はこの施錠部カバー１０４に形成された挿通孔１０５を介してその先端側を前側に露出している。
【００４５】
回動操作部材１０２は、図８等に示すように、前枠施錠機構７５用の第１係合片１０２ａとガラス扉施錠機構７６用の第２係合片１０２ｂとを一体的に備え、それら係合片１０２ａ，１０２ｂは、錠本体１０１側の鍵操作に応じて正逆方向に回動したときに、連動板９１、ガラス扉側係合部材９７に設けられた第１係合孔９８、第２係合孔９９に夫々係合して連動板９１、ガラス扉側係合部材９７を解除方向に移動させるようになっている。
【００４６】
即ち、遊技機本体１の前側から錠本体１０１に鍵を挿入し、例えば時計回りに回転させると、それに伴って回動操作部材１０２も時計回りに回動し、第１係合片１０２ａが上向きに移動して第１係合孔９８に係合し、連動板９１を上向きに押し上げる。これにより、外枠側係合部材７３が解除方向に回動して係合爪７３ｂの外枠側被係合部材７２への係合が解除され、前枠３を開放可能な状態となる。
【００４７】
一方、鍵を反時計回りに回転させると、それに伴って回動操作部材１０２も反時計回りに回動し、第２係合片１０２ｂが下向きに移動して第２係合孔９９に係合し、ガラス扉側係合部材９７を下向きに押し下げる。これにより、係合爪９６のガラス扉側被係合部材９５への係合が解除され、ガラス扉１２を開放可能な状態となる。
【００４８】
以上説明したように、本実施形態では、遊技盤装着枠２２と閉鎖当接部４１とを連結する連結部４２が、外周保持部４４の後端側と閉鎖当接部４１の内縁側とを連結するように形成され、縦枠部７ｂ上で且つ係合部材７３に対応する部分を含む所定範囲内では連結部４２と閉鎖当接部４１とを遊技盤２１に略平行な同一平面上に配置しているため、例えば外枠側被係合部材７２を外枠２の内側面４ａ側に設けた場合でも、図１０に示すように、外周保持部４４と外枠２の内側面との間には係合部材７３等を配置できる間隔さえあればよい。従って、従来に比べて外周保持部４４を外寄りに配置することが可能であり、遊技盤２１を大型化してより広い遊技領域３３を確保することが可能である。
【００４９】
また、外枠側被係合部材７２が外枠２の内側面４ａ側に設けられ、施錠作動機構７４が、外枠側係合部材７３の後端側を連結部４２に形成された貫通孔９３を介して後側に突出させた状態で連結部４２及び閉鎖当接部４１よりも前側に配置されているため、施錠作動機構７４のうち、外枠側係合部材７３の後端側以外の部分については比較的空間に余裕のある位置に配置しつつ、外周保持部４４と外枠２の内側面４ａとの間隔を必要最小限まで狭めることが可能である。
【００５０】
外周保持部４４の前端側から前向きに延設された施錠取付部４９を備え、この施錠取付部４９に沿って施錠作動機構７４を装着しているため、施錠作動機構７４及びその装着に必要な横方向のスペースを極力小さくすることができ、この施錠作動機構７４の設置スペースが遊技領域３３の拡大を阻害するようなことなく施錠作動機構７４を余裕を持って配置できる利点がある。
【００５１】
図１４及び図１５は本発明の第２の実施形態を、図１６及び図１７は本発明の第３の実施形態を夫々例示し、共に、外枠側係合部材（係合部材）７３が係合する被係合部７２ｂが外枠２の前端面２ａ側に位置するように外枠側被係合部材（被係合部材）７２が配置され、施錠作動機構７４が閉鎖当接部４１の前側に配置され、外枠側係合部材７３と外枠側被係合部材７２とが閉鎖当接部４１に形成された貫通孔９３を介して互いに係合するように構成した例を示している。
【００５２】
第２の実施形態では、図１４及び図１５に示すように、外枠側被係合部材７２は、例えば互いに平行な一対の固定板部１１１と、それら固定板部１１１の前端側を連結する連結板部１１２とで断面略コの字型に形成されると共に連結板部１１２に例えば開口孔よりなる被係合部７２ｂが設けられ、一対の固定板部１１１で外枠２を板厚方向に挟み込むように外枠２の縦枠板４の前端側に装着され、ネジ止め等により着脱自在に固定されている。
【００５３】
なお、外枠２には、被係合部７２ｂの後方に一定の空間を確保するための切欠部１１３が外枠側被係合部材７２の装着位置に対応して設けられている。
【００５４】
また、施錠作動機構７４側の外枠側係合部材７３を挿通させるべく前枠３側に設けられる貫通孔９３は、外枠側被係合部材７２側の被係合部７２ｂに対応して閉鎖当接部４１側に形成されている。
【００５５】
更に、外枠側係合部材７３は、その後端側の係合爪７３ｂが貫通孔９３を介して後ろ向きに突出するように例えば長手方向の複数箇所で折り曲げられており、前枠３が閉状態のときに係合爪７３ｂが外枠側被係合部材７２の被係合部７２ｂに係合して施錠されるようになっている。なお、その他の構成については第１の実施形態と基本的に同様である。
【００５６】
第３の実施形態では、図１６及び図１７に示すように、外枠側被係合部材７２は、例えば互いに平行な一対の固定板部１１１と、それら固定板部１１１の前端側を連結する連結板部１１２とで断面略コの字型に形成されると共に連結板部１１２の前側に被係合部７２ｂが突設されており、一対の固定板部１１１で外枠２を板厚方向に挟み込むように外枠２の縦枠板４の前端側に装着され、ネジ止め等により着脱自在に固定されている。
【００５７】
被係合部７２ｂには、例えば上部側に切欠部７２ｄが形成されると共に、その切欠部７２ｄの前側は、先端側から切欠部７２ｄ側にかけて前下がりの傾斜状に形成された係合案内部７２ｅとなっている。
【００５８】
また、前枠３側の閉鎖当接部４１には、外枠側被係合部材７２側の被係合部７２ｂに対応して貫通孔９３が形成されている。
【００５９】
外枠側係合部材７３は、その後端側が閉鎖当接部４１の前面側に沿って貫通孔９３側に折り曲げられ、その折り曲げ部分の例えば下側に係合爪７３ｂが設けられている。
【００６０】
前枠３が閉じられると、外枠側被係合部材７２の被係合部７２ｂが前枠３側の貫通孔９３に後側から嵌合して、貫通孔９３の前側で外枠側係合部材７３の係合爪７３ｂが被係合部７２ｂの７２ｄに係合し、施錠される。なお、その他の構成については第１の実施形態と基本的に同様である。
【００６１】
これら第２，第３の実施形態のような構成とすることにより、外周保持部４４と外枠２の内側面４ａとの間に外枠側係合部材７３を配置するための隙間を設ける必要がなくなるため、第１の実施形態と比べて外周保持部４４を更に外寄りに配置することが可能であり、遊技領域３３を更に広く確保することが可能である。
【００６２】
以上、本発明の実施形態について詳述したが、本発明はこれらの実施形態に限定されるものではなく、本発明の趣旨を逸脱しない範囲で種々の変更が可能である。例えば、実施形態では前枠３の後側から遊技盤２１を着脱するように構成したが、前枠３の前側から遊技盤２１を着脱するように構成してもよい。この場合、遊技盤装着枠２２は、外周保持部４４の後端側に、遊技盤２１の背面側を保持する背面保持部を設ければよい。
【００６３】
施錠作動機構７４は、前枠３を外枠２側に施錠可能に構成されていれば十分であり、その施錠機構や取付構造は任意である。
【００６４】
例えば外枠２が合成樹脂により一体成形される場合には、外枠側被係合部材７２をインサート成型により装着してもよい。
【００６５】
その他、本発明はパチンコ機以外のアレンジボール機や雀球遊技機等の弾球遊技機の他、スロットマシン等の各種遊技機において同様に実施可能であることは言うまでもない。
【図面の簡単な説明】
【００６６】
【図１】本発明の第１の実施形態を示すパチンコ機の全体正面図である。
【図２】本発明の第１の実施形態を示すパチンコ機の全体背面図である。
【図３】本発明の第１の実施形態を示すパチンコ機の前枠の背面図である。
【図４】本発明の第１の実施形態を示すパチンコ機の前枠、遊技盤、及び外枠の分解斜視図である。
【図５】本発明の第１の実施形態を示すパチンコ機のガラス扉の分解斜視図である。
【図６】本発明の第１の実施形態を示すパチンコ機の平面断面図である。
【図７】本発明の第１の実施形態を示すパチンコ機の前枠の施錠手段近傍における側面断面図及び背面断面図である。
【図８】本発明の第１の実施形態を示す施錠手段の施錠解除動作の説明図である。
【図９】本発明の第１の実施形態を示すパチンコ機の横枠部近傍の側面断面図である。
【図１０】本発明の第１の実施形態を示すパチンコ機の施錠作動機構近傍の平面断面図である。
【図１１】本発明の第１の実施形態を示すパチンコ機の施錠作動機構近傍の平面断面図である。
【図１２】本発明の第１の実施形態を示すパチンコ機の施錠作動機構近傍の平面断面図である。
【図１３】本発明の第１の実施形態を示す係合部材と被係合部材との係合関係を示す斜視図である。
【図１４】本発明の第２の実施形態を示すパチンコ機の施錠作動機構近傍の平面断面図である。
【図１５】本発明の第２の実施形態を示す係合部材と被係合部材との係合関係を示す斜視図である。
【図１６】本発明の第３の実施形態を示すパチンコ機の施錠作動機構近傍の平面断面図である。
【図１７】本発明の第３の実施形態を示す係合部材と被係合部材との係合関係を示す斜視図である。
【符号の説明】
【００６７】
２    外枠
２ａ  前端面
３    前枠（前開閉体）
４    縦枠板
４ａ  縦枠板内側面
５    横枠板
１１    ヒンジ
２１    遊技盤
２１ａ  外周面
２２    遊技盤装着枠
３３    遊技領域
４１    閉鎖当接部
４２    連結部
４４    外周保持部
４９    施錠取付部
７２    外枠側被係合部材（被係合部材）
７２ｂ  被係合部
７３    外枠側係合部材（係合部材）
７４    施錠作動機構
９３    貫通孔
【図１】
0004444176.tif 000002
【図２】
0004444176.tif 000003
【図３】
0004444176.tif 000004
【図４】
0004444176.tif 000005
【図５】
0004444176.tif 000006
【図６】
0004444176.tif 000007
【図７】
0004444176.tif 000008
【図８】
0004444176.tif 000009
【図９】
0004444176.tif 000010
【図１０】
0004444176.tif 000011
【図１１】
0004444176.tif 000012
【図１２】
0004444176.tif 000013
【図１３】
0004444176.tif 000014
【図１４】
0004444176.tif 000015
【図１５】
0004444176.tif 000016
【図１６】
0004444176.tif 000017
【図１７】
0004444176.tif 000018